(57)【特許請求の範囲】
【請求項１】
遊技球が流下する遊技領域が前側に設けられた遊技盤を備えた遊技機において、
前記遊技盤に配設された枠状装飾体と、
前記枠状装飾体に設けられて前記遊技盤の前側に位置し、遊技球が前側を移動可能な壁部と、
前記壁部に設けられて前側に突出する誘導部と、
前記壁部から前側に離間して前記誘導部の前側を覆う前壁部と、
前記誘導部によって前記壁部と前記前壁部との間に画成され、前記遊技領域に入口および出口で連通して該入口から流入した遊技球を出口から遊技領域に排出可能な誘導経路と、
前記枠状装飾体に設けられて前記誘導経路に開口し、該誘導経路を流下する遊技球が入球可能な入球口と、
前記壁部および前壁部に対向して設けられた一対のガイド部と、
前記一対のガイド部に移動自在に支持されて、前記入球口への遊技球の入球を阻止する閉成位置と、前記入球口への遊技球の入球を許容する開放位置との間を往復移動可能な開閉部材と、
前記開閉部材を往復移動させる駆動機構とを備え、
前記入球口に遊技球が入球することによって、入球しない場合より有利な状態が付与され得るよう構成された
ことを特徴とする遊技機。
【発明の詳細な説明】
【技術分野】
【０００１】
本発明は、遊技領域を流下する遊技球が入球可能な入球口を備える遊技機に関するものである。
【背景技術】
【０００２】
代表的な遊技機であるパチンコ機は、パチンコ球(遊技球)が流下可能な遊技領域が前側に画成された遊技盤に、枠状に形成された枠状装飾体(所謂センター役物)が配設されると共に、複数の図柄を変動表示して図柄変動演出を行う液晶式やドラム式等の図柄表示装置が、その表示部を枠状装飾体の開口部に後方から臨ませて配設されて、該開口部を介して表示部で実行される演出を前側から視認可能に構成されている。また、遊技盤には、パチンコ球の入賞により図柄表示装置での図柄変動を開始させる始動入賞装置や大当り時等に開放する特別入賞装置を配設するよう構成されたものが多数提案されている。この種のパチンコ機では、前記遊技領域に打ち出されたパチンコ球が遊技領域内に植設された遊技釘等との接触により跳ね返りながら次第に自重により流下し、該遊技領域を流下する過程で前記始動入賞装置の始動入賞口(入球口)にパチンコ球が入賞することにより、所定数の賞球が払い出されると共に、前記図柄表示装置での図柄変動演出に伴うリーチ演出等の各種の遊技演出がなされる。そして、図柄表示装置に所定の大当り表示(例えば同一図柄の三つ揃等)が表示されることにより、遊技者に有利な大当り遊技が付与される。この大当り遊技では、前記特別入賞装置の特別入賞口(入球口)を開閉可能に閉鎖する開閉部材が適宜の開閉パターンで開閉動作されて、該特別入賞口へのパチンコ球の入賞機会が与えられ、遊技者が多数の賞球を獲得し得るようになっている(例えば、特許文献１参照)。
【先行技術文献】
【特許文献】
【０００３】
【特許文献１】特開２００７−３１２８５９号公報
【発明の概要】
【発明が解決しようとする課題】
【０００４】
前記パチンコ機では、前記始動入賞口や特別入賞口等の各種入賞口にパチンコ球が入賞することに、最も関心を持って遊技が行われる。そこで、前記遊技盤に植設する遊技釘の配置や遊技釘同士の間隔を調節することで、入賞口に向かうパチンコ球の流下態様に変化を与えて遊技の興趣を向上するようにしている。しかしながら、遊技盤に植設された遊技釘は、パチンコ球が衝突することで経時的に変形してしまい、パチンコ球が意図しない態様で流下することで興趣を低下させるおそれがあることから、定期的に釘調節が必要となる難点が指摘される。また、遊技釘の変形や調節不良等によって、入賞口に対するパチンコ球の入賞率が一定に維持できず、遊技性が低下する問題を招くおそれがある。
【０００５】
そこで本発明は、従来の技術に係る遊技機に内在する前記課題に鑑み、これを好適に解決するべく提案されたものであって、入球口への入球を安定させて遊技性が低下するのを防止し得る遊技機を提供することを目的とする。
【課題を解決するための手段】
【０００６】
前記課題を解決し、所期の目的を達成するため、本願の請求項１に係る発明は、
遊技球が流下する遊技領域(21)が前側に設けられた遊技盤(20)を備えた遊技機において、
前記遊技盤(20)に配設された枠状装飾体(25)と、
前記枠状装飾体(25)に設けられて前記遊技盤(20)の前側に位置し、遊技球が前側を移動可能な壁部(48)と、
前記壁部(48)に設けられて前側に突出する誘導部(50,51,52,53)と、
前記壁部(48)から前側に離間して前記誘導部(50,51,52,53)の前側を覆う前壁部(74)と、
前記誘導部(50,51,52,53)によって前記壁部(48)と前記前壁部(74)との間に画成され、前記遊技領域(21)に入口(47a,47b)および出口(47c)で連通して該入口(47a,47b)から流入した遊技球を出口(47c)から遊技領域(21)に排出可能な誘導経路(47)と、
前記枠状装飾体(25)に設けられて前記誘導経路(47)に開口し、該誘導経路(47)を流下する遊技球が入球可能な入球口(58a)と、
前記壁部(48)および前壁部(74)に対向して設けられた一対のガイド部(63a,63b)と、
前記一対のガイド部(63a,63b)に移動自在に支持されて、前記入球口(58a)への遊技球の入球を阻止する閉成位置と、前記入球口(58a)への遊技球の入球を許容する開放位置との間を往復移動可能な開閉部材(59)と、
前記開閉部材(59)を往復移動させる駆動機構(60)とを備え、
前記入球口(58a)に遊技球が入球することによって、入球しない場合より有利な状態が付与され得るよう構成されたことを要旨とする。
【０００７】
請求項１に係る発明によれば、入球口に向けて遊技球を誘導可能な誘導経路を画成する誘導部を、入球口が設けられる枠状装飾体に設けているので、誘導部と入球口との関係を一定に維持することができ、入球口への入球率を一定に維持して遊技性が低下するのを防止し得る。また、煩雑な釘調節が不要となるので、メンテナンス性が向上する。
また、誘導経路を流下する遊技球が前側に変位するのを前壁部によって防止し得るので、遊技球を安定して流下させることができる。
更に、入球口を開閉する開閉部材と誘導部との関係を一定に維持できるので、開閉部材を移動して入球口を開放した状態での入球率を一定に維持できる。
【００１０】
本願には、次のような技術的思想が含まれている。
前記入球口(58a)に入球した遊技球が排出案内される球通路(78)が前記枠状装飾体(25)に設けられ、前記前壁部(74)が球通路(78)の前壁を構成していることを要旨とする。
この構成によれば、誘導経路を画成する前壁部が、入球口に入球した遊技球を排出案内する球通路の前壁を構成するようにしたので、各壁を別々に設ける必要はなく、部品点数および組み立て工数を低減し得る。
【００１１】
本願には、次のような技術的思想が含まれている。
前記誘導経路(47)は複数の入口(47a,47b)を介して前記遊技領域(21)に連通していることを要旨とする。
この構成によれば、誘導経路には複数の入口から遊技球が流入可能であるので、遊技球の流下態様が単調となるのを防いで遊技の興趣を向上し得る。
【００１２】
本願には、次のような技術的思想が含まれている。
前記壁部(48)の裏側に、演出を行う演出部(34)が該壁部(48)と前後に重なるように設けられると共に、前記誘導経路(47)の前側から前記演出部(34)が透視可能に構成されていることを要旨とする。
この構成によれば、誘導経路を流下する遊技球が演出部の前側を通ることで、遊技球の動きと演出部での演出によって演出効果を向上することができる。
【発明の効果】
【００１３】
本発明に係る遊技機によれば、煩雑な釘調節を行うことなく入球口への入球を安定させて遊技性が低下するのを防止し得る。
【図面の簡単な説明】
【００１４】
【図１】本発明の実施例に係るパチンコ機を示す正面図である。
【図２】実施例に係る遊技盤を示す正面図である。
【図３】実施例に係る遊技盤と設置部材とを分解して前側から見た要部概略斜視図である。
【図４】実施例に係る遊技盤と第２球通路を画成する通路画成部とを分解して後側から見た要部概略斜視図である。
【図５】実施例に係る枠状装飾体に設けられる球通路の球出口と第２球通路を画成する通路画成部の球入口との関係を示す図であって、枠状装飾体は裏側から見た状態で示し、通路画成部は前側から見た状態で示している。
【図６】実施例に係る枠状装飾体、第２特別入賞部および第２始動入賞部を分解して前側から見た概略斜視図である。
【図７】実施例に係る枠状装飾体、第２特別入賞部および第２始動入賞部を分解して後側から見た概略斜視図である。
【図８】実施例に係るカバー部材を取り外した状態の枠状装飾体を前側から見た要部概略斜視図である。
【図９】実施例に係る遊技盤の要部縦断正面図である。
【図１０】図２のＡ−Ａ線で破断した要部縦断側面図である。
【図１１】実施例に係る遊技盤の要部縦断正面図であって、(ａ)は第２特別開閉部材を閉成位置に移動した状態を実線で示し、(ｂ)は第２特別開閉部材を開放位置に移動した状態を実線で示している。
【図１２】実施例に係る第２特別開閉部材と駆動機構との連繋関係を示す縦断側面図である。
【図１３】実施例に係る第２特別開閉部材と駆動機構との連繋関係を示す概略斜視図であって、後側から見た状態で示している。
【図１４】実施例に係る駆動機構により移動される作動部材と連繋部材および第２特別開閉部材との関係を後側から見た説明図であって、(ａ)は作動部材のロック位置を示し、(ｂ)は作動部材のロック解除位置を示し、(ｃ)は作動部材の作動位置を示している。
【図１５】実施例に係る遊技盤を第２アウト口の形成位置で横断した要部平面図である。
【図１６】実施例に係る第１球通路に設けた下端前減勢突部と逆流防止部との関係を示す説明図である。
【発明を実施するための形態】
【００１５】
次に、本発明に係る遊技機につき、好適な実施例を挙げて、添付図面を参照しながら以下詳細に説明する。なお、実施例では、遊技球としてパチンコ球を用いて遊技を行うパチンコ機を例に挙げて説明する。また、以下の説明において、「前」、「後」、「左」、「右」とは、特に断りのない限り、図１に示すようにパチンコ機を前側(遊技者側)から見た状態で指称する。
【実施例】
【００１６】
(パチンコ機１０について)
実施例に係るパチンコ機１０は、図１に示すように、前後に開口する矩形枠状に形成されて遊技店の図示しない設置枠台に縦置き姿勢で設置される固定枠としての外枠１１の開口前面側に、遊技盤２０を着脱可能に保持する本体枠としての中枠１２が開閉および着脱可能に組み付けられて、該遊技盤２０の裏側に、各種図柄を変動表示可能な表示装置１７が着脱可能に配設されている。また、前記中枠１２の前面側には、前記遊技盤２０を透視保護するガラス板や透明な合成樹脂材により形成された透視板で前後に開口する窓部１３ａを覆うよう構成された前枠１３が開閉可能に組み付けられると共に、該前枠１３の下方にパチンコ球を貯留する下球受け皿１５が開閉可能に組み付けられる。なお、実施例では、前記前枠１３の下部位置に、パチンコ球を貯留する上球受け皿１４が一体的に組み付けられており、前枠１３の開閉に合わせて上球受け皿１４も一体的に開閉するよう構成される。なお、実施例では、前記表示装置１７としては、各種図柄を表示可能な液晶パネルを収容ケースに収容した液晶表示装置が採用されるが、これに限られるものではなく、ドラム式の表示装置やドットマトリックス式の表示装置等の各種図柄を停止および変動表示可能な従来公知の各種の表示装置を採用し得る。また、前記上球受け皿１４は、前記前枠１３と別体に形成してもよい。なお、球受け皿については、上下２枚の球受け皿１４,１５を備えるものに限らず、１枚の球受け皿のみを設ける構成であってもよい。
【００１７】
前記前枠１３の右下方位置には、前記中枠１２に配設された打球発射装置(図示せず）を作動する操作ハンドル１６が設けられている。前記操作ハンドル１６は、左回転方向に付勢された操作レバー１６ａを備えており、該操作レバー１６ａを右回転するよう遊技者が回動操作することで打球発射装置が作動されて、前記上球受け皿１４に貯留されたパチンコ球が前記遊技盤２０に向けて発射されるようになっている。ここで、前記操作レバー１６ａの回動量に応じて前記打球発射装置によるパチンコ球の打球力が強弱変化するよう構成されており、遊技者が操作レバー１６ａの回動量を操作することで、前記遊技盤２０に形成された第１球流下領域２１ａ(後述)をパチンコ球が流下する所謂「左打ち」と、該遊技盤２０に形成された第２球流下領域２１ｂ,２１ｃ(後述)をパチンコ球が流下する所謂「右打ち(ゴム打ち)」とを打ち分け得るようになっている。
【００１８】
(遊技盤２０について)
前記遊技盤２０は、図２に示すように、ベニヤ材や合成樹脂材により形成された略矩形状の板部材であって、遊技盤２０の裏側に前記表示装置１７が着脱可能に組み付けられている。前記遊技盤２０の前面には、略円形状に湾曲形成した案内レール２２が配設されており、該案内レール２２により画成される略円形の遊技領域２１に、前記打球発射装置から発射されたパチンコ球が打ち出されることで遊技が行われるようになっている。また、前記遊技盤２０には、前後に貫通する装着口２７(図４参照)が適宜位置に開設されており、各装着口２７に対して各種の遊技盤設置部品(具体的には後述する枠状装飾体２５、第１始動入賞部３５、第２始動入賞部９３、第１特別入賞部３７、第２特別入賞部５８、ゲート部３８等)が前側から取り付けられると共に、遊技領域２１の最下部位置には、該遊技領域２１に打ち出されたパチンコ球を排出する第１アウト口２６が開設されている。なお、前記装着口の形成数は、遊技盤２０に取り付けられる各種遊技盤設置部品の個数や配設位置等により必要に応じて適宜変更される。
【００１９】
ここで、実施例の前記遊技盤２０には、図２に示すように、前記案内レール２２で囲まれた遊技領域２１の略中央で開口する装着口２７に、前後に開口する表示窓口(開口部)２５ａが形成されたセンター役とも称される枠状装飾体２５が取り付けられ、該枠状装飾体２５の表示窓口２５ａを介して表示装置１７の表示部１７ａが遊技盤２０の前面側に臨むよう構成されている。なお、前記表示装置１７は、後述する設置部材３３の裏側に取り付けられて、該設置部材３３に設けた開口部３３ａおよび枠状装飾体２５に設けた表示窓口２５ａを介して遊技盤２０の前側に臨むよう構成される。また、前記遊技盤２０には、前記遊技領域２１内に多数の遊技釘２３が設けられると共に、前記枠状装飾体２５の左側方に、遊技領域２１を流下するパチンコ球の接触に伴って回転する所謂「風車」とも称される回転案内部材２４が回転自在に支持されており、遊技領域２１を流下するパチンコ球が遊技釘２３や回転案内部材２４に接触することで、流下方向が不規則に変化するよう構成されている。
【００２０】
前記案内レール２２は、図２に示す如く、遊技盤２０の左下部から右上部に至るよう左方向に膨出する円弧状に形成された外レール２８と、遊技盤２０の右上部、右下部および左上部に至るよう右方向に膨出する円弧状に形成された内レール２９,３０とから構成されている。前記内レール２９,３０は、外レール２８の右上端部に連接して遊技盤２０の右上部から下部に亘って配設され、左端縁が右方に凹む円弧状に形成された盤面飾り部材２９と、遊技盤２０の下部から左上部に亘って配設されて盤面飾り部材２９の下端部に連接し、前記外レール２８の右方(内側)に離間して位置するレール部材３０とから構成され、該外レール２８およびレール部材３０により１個のパチンコ球が通過可能な発射通路３１が画成されている。ここで、前記内レールを構成するレール部材３０は、前記遊技盤２０の左上部に開放端を臨ませて外レール２８との間に遊技領域２１に開口する打出し口３１ａを画成するよう構成されて、前記打球発射装置から発射されたパチンコ球が発射通路３１の下方開口から飛翔して、レール部材３０の開放端側の打出し口３１ａから遊技領域２１内に打ち出されるようになっている。
【００２１】
図９に示す如く、前記外レール２８と盤面飾り部材２９との接続位置は、外レール２８および盤面飾り部材２９の曲率の相違から段差が形成されており、該段差部分に緩衝ゴム(減勢部)３２が配設されている。すなわち、前記外レール２８の終端位置に臨むよう緩衝ゴム３２が配設されて、前記打球発射装置から発射されて外レール２８に沿って終端位置まで移動して緩衝ゴム３２に当接したパチンコ球を減勢し得るようになっている。なお、前記緩衝ゴム３２は、後述する上側第２球流下領域２１ｂに位置している。
【００２２】
(設置部材３３について)
前記設置部材３３は、前記遊技盤２０の外郭形状より僅かに小さな形状に形成された略矩形状の背面板３３ｂと、該背面板３３ｂの外周縁部から前方に突出する画壁部３３ｃ(図３に一部図示)とから前方に開口した箱状に形成されて、該画壁部３３ｃの開口前端部を遊技盤２０の裏面に当接させた状態で、当該遊技盤２０と設置部材３３とがネジにより固定される。そして、設置部材３３において遊技盤２０との間に画成される空間に、可動体を動作することで演出を行う可動演出装置や発光体の発光・点滅により演出を行う発光装置等の各種の演出部３４が設置されて、設置部材３３を基材とする１つのユニットとして扱い得るようになっている。また、前記設置部材３３の背面板３３ｂには、前記枠状装飾体２５の表示窓口２５ａと前後に整列する位置に、略矩形状の開口部３３ａが前後に開口するよう開設されると共に、該背面板３３ｂの裏側に前記表示装置１７が着脱自在に取り付けられて、該開口部３３ａを介して表示装置１７の表示部１７ａが遊技盤２０の前側に臨むようになっている。
【００２３】
(第１始動入賞部３５について)
前記遊技盤２０には、前記枠状装飾体２５の下方に、遊技領域２１を流下するパチンコ球が入賞可能な第１始動入賞口３５ａを有する第１始動入賞部３５が取り付けられている。第１始動入賞口３５ａは、遊技領域２１に常時開放する常時開放型の入賞口とされる。第１始動入賞部３５は、第１始動入賞口３５ａに入賞したパチンコ球を検出す第１始動入賞検出センサ(図示せず)を備えている。第１始動入賞検出センサは、遊技盤２０の裏側(具体的には設置部材３３)に配設された制御手段(図示せず)に配線接続されており、第１始動入賞検出センサがパチンコ球を検出すると、検出信号を制御手段に出力し、制御手段の制御下に予め設定された数の賞球が払い出されるようになっている。
【００２４】
(入賞口ユニット３６について)
前記遊技盤２０には、前記第１始動入賞部３５の右上部における後述する第２始動入賞部９３より下側の第２球流下領域２１ｃに、入賞口ユニット３６が配設されている。この入賞口ユニット３６には、第１特別入賞部３７、ゲート部３８および普通入賞部４０が設けられている。
【００２５】
(第１特別入賞部３７について)
前記第１特別入賞部３７は、遊技領域２１(第２球流下領域２１ｂ,２１ｃ)を流下するパチンコ球が入賞可能な第１特別入賞口(入球口)３７ａと、該第１特別入賞口３７ａを開閉自在に閉鎖する第１特別開閉部材(開閉部材)３７ｂとを備えており、該第１特別入賞口３７ａは常には第１特別開閉部材３７ｂによって閉鎖されている。第１特別開閉部材３７ｂは、駆動手段としての第１特別入賞ソレノイド(図示せず)に連繋されて、該第１特別入賞ソレノイドを駆動することで、第１特別開閉部材３７ｂが第１特別入賞口３７ａへのパチンコ球の入賞を阻止する閉成位置と該第１特別入賞口３７ａへのパチンコ球の入賞を許容する開放位置との間を移動するよう構成される。第１特別入賞部３７は、第１特別入賞口３７ａに入賞したパチンコ球を検出する第１特別入賞検出センサ(図示せず)を備えている。第１特別入賞検出センサは、前記制御手段に配線接続されており、第１特別入賞検出センサがパチンコ球を検出すると、検出信号を制御手段に出力し、制御手段の制御下に予め設定された数の賞球が払い出されるようになっている。なお、第１特別入賞ソレノイドは、後述する如く、始動入賞部３５,９３へのパチンコ球の入賞を契機として特図当り判定において当選した場合に付与される当り遊技(大当り遊技)において、当りの種類に応じた所定の開閉条件に従って制御手段によって駆動制御される。
【００２６】
(ゲート部３８について)
前記入賞口ユニット３６には、図２に示す如く、前記第１特別入賞部３７の上側に、遊技領域２１(第２球流下領域２１ｂ,２１ｃ)に開口して該遊技領域２１を流下するパチンコ球が通過可能な通過口(入球口)３８ａが形成されたゲート部３８が設けられている。ゲート部３８には、通過口３８ａをパチンコ球が通過したことを検知するゲートセンサ３９が配設される(図３参照)。ゲートセンサ３９は前記制御手段に配線接続されており、該制御手段は、ゲートセンサ３９の球検知に基づき後述する第２始動入賞部９３の始動口開閉部材９４を開放するか否かの普図当り判定(始動口開放判定)を行うよう構成されている。そして、普図当り判定に当選した場合に、制御手段は第２始動入賞部９３の始動入賞ソレノイド９５を制御して始動口開閉部材９４を開放するよう設定される。なお、実施例では、ゲート部３８(通過口３８ａ)をパチンコ球が通過して遊技領域２１に戻す構成としたが、ゲート部３８に設けた入球口に入球したパチンコ球を、遊技盤２０の裏側に排出するようにしてもよい。
【００２７】
(普通入賞部４０について)
前記入賞口ユニット３６には、図２に示す如く、前記第１特別入賞部３７の右方に、前記遊技領域２１(第２球流下領域２１ｂ,２１ｃ)に開口して該遊技領域２１を流下するパチンコ球が入賞可能な普通入賞口(入球口)４０ａを備えた普通入賞部４０が設けられている。そして、普通入賞口４０ａに入賞したパチンコ球は、遊技盤２０の裏側に配設された図示しないセーフ球用排出経路に通出され、該セーフ球用排出経路を介して機外に排出されるようになっている。また、セーフ球用排出経路には、前記制御手段に配線接続する普通入賞検出センサ(図示せず)が設配設されており、該普通入賞検出センサから制御手段への球検出信号の入力に伴って所定数の賞球が払い出されるようになっている。
【００２８】
(枠状装飾体２５について)
次に、前記枠状装飾体２５について詳しく説明する。この枠状装飾体２５は、図４に示す如く、前記遊技盤２０に開設された前記装着口２７の内側に沿って延在する環状に形成された枠状基部４１と、該枠状基部４１に設けられて前記遊技盤２０の前面より前方に突出し、前記遊技領域２１と表示装置１７の表示部１７ａを区切る庇状部４２と、該庇状部４２の後縁から外方に延出する薄板状の台板部４３とを備える。そして、前記枠状基部４１を装着口２７に挿入すると共に台板部４３を遊技盤２０の前面に当接した状態で、該台板部４３をネジ等の固定手段で遊技盤２０に固定することで、枠状装飾体２５が遊技盤２０に取り付けられる。ここで、前記庇状部４２は、枠状装飾体２５(枠状基部４１)の左側縁の中間位置から上縁および右下縁に亘って延在するように設けられており、表示装置１７の前面側を横切ってパチンコ球が流下(落下)するのを規制している。
【００２９】
前記枠状装飾体２５には、図２に示す如く、表示窓口２５ａの下側に、ステージ４４が配設されると共に、表示窓口２５ａの左側に、遊技領域２１(第１球流下領域２１ａ)に開口して該遊技領域２１を流下するパチンコ球を取り込んでステージ４４に案内する球導入部４５が設けられ、該球導入部４５からステージ４４に通出されたパチンコ球は、ステージ４４上を左右に転動した後に、前記第１始動入賞部３５が配設されている遊技領域２１に排出される。またステージ４４の後端縁には、左右方向の全長に亘って上側に向けて所定高さで立上がる透明壁４６が設けられ、ステージ４４上を転動するパチンコ球が表示装置１７の表示部側に移動するのを該透明壁４６で防止している。
【００３０】
前記庇状部４２は、図２に示す如く、最上部位置から左右方向に下方傾斜するよう形成されて、遊技領域２１に打ち出されたパチンコ球が庇状部４２上で滞ることなく前記枠状装飾体２５の左側方または右側方へ誘導されるよう形成されている。すなわち、前記遊技盤２０に画成された遊技領域２１には、前記枠状装飾体２５の左側方をパチンコ球が流下する第１球流下領域２１ａ、および該枠状装飾体２５の上方から右側方をパチンコ球が流下する第２球流下領域２１ｂ,２１ｃが設けられており、前記打出し口３１ａから遊技領域２１に打ち込まれたパチンコ球は、第１球流下領域２１ａおよび第２球流下領域２１ｂ,２１ｃの何れかを流下するよう構成される。換言すると、前記打球発射装置により遊技領域２１内に発射されたパチンコ球は、到達位置に応じて前記枠状装飾体２５およびレール部材３０(内レール３０)の間に形成される第１球流下領域２１ａか、或いは枠状装飾体２５、外レール２８および盤面飾り部材２９(内レール２９)の間に形成される第２球流下領域２１ｂ,２１ｃの何れかを流下する。なお、庇状部４２における前記表示窓口２５ａの上方に臨む略弧状に形成されている領域において、外レール２８との離間間隔は、パチンコ球１個分の幅寸法より大きく、かつ遊技球２個分の幅寸法より小さな幅寸設に設定されている。
【００３１】
ここで、実施例のパチンコ機１０では、前記第２球流下領域２１ｂ,２１ｃを流下する途中のパチンコ球が、前記枠状装飾体２５に設けられた後述する誘導経路４７を流下するよう構成されており、該誘導経路４７より上側の第２球流下領域２１ｂを上側第２球流下領域２１ｂと指称すると共に、該誘導経路４７より下側の第２球流下領域２１ｃを下側第２球流下領域２１ｃと指称して区別する場合がある。
【００３２】
実施例のパチンコ機１０では、前記枠状装飾体２５に、図９に示す如く、第２特別入賞部５８、第２始動入賞部９３および第２アウト口８７が設けられている。第２特別入賞部５８、第２始動入賞部９３および第２アウト口８７は、枠状装飾体２５における表示窓口２５ａの右側に配設されて、前記第２球流下領域２１ｂ,２１ｃを流下するパチンコ球が入球し得るよう構成される。すなわち、実施例に係るパチンコ機１０では、前記第２球流下領域２１ｂをパチンコ球が流下する場合(右打ちの場合)に、パチンコ球が第１球流下領域２１ａを流下する場合に較べて第２特別入賞部５８の第２特別入賞口５８ａや第２始動入賞部９３の第２始動入賞口９３ａへパチンコ球が入賞する可能性が高くなるよう構成されている。
【００３３】
(誘導経路４７について)
前記枠状装飾体２５には、図９に示す如く、前記第２球流下領域２１ｂ,２１ｃに連通し、パチンコ球が流下可能な誘導経路４７が形成されている。実施例では、枠状装飾体２５における右上隅部に誘導経路４７が形成されており、前記緩衝ゴム３２に衝突したパチンコ球が該誘導経路４７に流入するよう構成されている。誘導経路４７は、前記枠状基部４１の前端縁から表示窓口２５ａの外方および内方に延在する経路用後壁部(壁部,別の部材)４８と、該枠状装飾体２５に配設された後述するカバー部材７３に設けられた経路用前壁部(前壁部)７４と、両壁部４８,７４間に設けられた規制壁部４９および複数の誘導部５０,５１,５２,５３とによって形成されている。経路用後壁部４８および経路用前壁部７４は、遊技盤２０の前側においてパチンコ球が通過可能な間隔で前後に離間しており、両壁部４８,７４の間に形成されている誘導経路４７をパチンコ球が流下し得るよう構成される。
【００３４】
前記経路用後壁部４８は、前記台板部４３の一部を構成しており、該経路用後壁部４８は遊技盤２０の前側に位置して、該経路用後壁部４８の前側をパチンコ球が流下(移動)可能に構成されている。また、経路用後壁部４８の外端縁は、図９に示す如く、前記外レール２８および盤面飾り部材２９の内面に沿って延在すると共に、該経路用後壁部４８の外端縁と外レール２８との間の隙間はパチンコ球が通過可能な寸法に設定される一方で、該経路用後壁部４８の外端縁と盤面飾り部材２９との間の隙間はパチンコ球が通過不能な寸法に設定されている。そして、前記緩衝ゴム３２が、経路用後壁部４８の外端縁における延在方向の略中間位置に臨んでいる。
【００３５】
(規制壁部４９について)
前記庇状部４２は、図６,図８,図９に示す如く、前記経路用後壁部４８の外端縁における打出し口側の端部から右側が所定長さで切り欠かれており、該切り欠かれた庇状部４２の右端部に、前記規制壁部４９の上端部が接続されている。規制壁部４９は、庇状部４２との接続端から下方に略直線状に延在する導入部４９ａと、該導入部４９ａの下端に連設されて右方に膨出する膨出部４９ｂと、該膨出部４９ｂの下端に連設されて左方に凸となる画壁部４９ｃとを備え、該規制壁部４９によって前記誘導経路４７の左側壁が構成されている。前記膨出部４９ｂの上面は、右側に向かうにつれて(導入部４９ａから離間するにつれて)下方傾斜するように形成されており、該膨出部４９ｂの傾斜上面に当ったパチンコ球を後述する固定案内部５３に向けて案内し得るよう構成される。
【００３６】
(誘導部５０,５１,５２,５３について)
前記誘導部５０,５１,５２,５３として、前記上側第２球流下領域２１ｂに誘導経路４７を連通する入口４７ａ,４７ｂを画成する入口画成部５０,５１と、前記下側第２球流下領域２１ｃに誘導経路４７を連通する出口４７ｃを画成する出口画成部５２と、誘導経路４７を流下するパチンコ球を後述する第２特別入賞口５８ａに向けて案内可能な固定案内部５３とが設けられている。実施例では、入口画成部５０,５１、出口画成部５２および固定案内部５３の夫々は経路用後壁部４８の前側に突出するように設けられて、これら入口画成部５０,５１、出口画成部５２および固定案内部５３の前面側(全ての誘導部の前面側)が経路用前壁部７４で覆われるよう構成される。
【００３７】
(入口画成部５０,５１について)
前記経路用後壁部４８には、図６,図８,図９に示す如く、該経路用後壁部４８における外縁部に複数(実施例では２つ)の前記入口画成部５０,５１が、該外縁部の延在方向に離間して設けられている。左側(打出し口３１ａに近接する側)に位置する第１入口画成部５０は、前記規制壁部４９における導入部４９ａから右方に離間して設けられて、該導入部４９ａ(規制壁部４９)と第１入口画成部５０との間にパチンコ球が通過可能な第１入口４７ａが画成されている。また、右側(打出し口３１ａから離間する側)に位置する第２入口画成部５１と前記第１入口画成部５０との間にパチンコ球が通過可能な第２入口４７ｂが画成されている。そして、両入口４７ａ,４７ｂが、前記上側第２球流下領域２１ｂに連通して、上側第２球流下領域２１ｂを流下するパチンコ球が各入口４７ａ,４７ｂから誘導経路４７に流入し得るよう構成される。なお、第２入口画成部５１は、前記緩衝ゴム３２に対してパチンコ球が通過不能な間隔で近接位置しており、前記打出し口３１ａから遊技領域２１に打ち出されて緩衝ゴム３２に衝突したパチンコ球は、第１入口４７ａまたは第２入口４７ｂから誘導経路４７に流入するよう構成されて、上側第２球流下領域２１ｂから下側第２球流下領域２１ｃへはパチンコ球が直接移動し得ないようになっている。すなわち、実施例のパチンコ機１０では、パチンコ球を右打ちした場合は、枠状装飾体２５に形成された誘導経路４７を通過した後のパチンコ球が下側第２球流下領域２１ｃに流入するよう構成されている。
【００３８】
(出口画成部５２について)
前記出口画成部５２は、前記経路用後壁部４８における第２入口画成部５１の配設位置より下方において左右方向に所定長さで延在しており、該出口画成部５２の右端は、図９に示す如く、前記盤面飾り部材２９の内面からパチンコ球が通過可能な寸法だけ左方に離間して位置し、該出口画成部５２の右端部側に誘導経路４７と下側第２球流下領域２１ｃとを連通する出口４７ｃが画成されている。また、出口画成部５２の左端は、図８,図９,図１１に示す如く、前記規制壁部４９における画壁部４９ｃからパチンコ球が通過可能な寸法だけ右方に離間して位置しており、該出口画成部５２の左端と画壁部４９ｃ(規制壁部４９)との間に、誘導経路４７に開口して該誘導経路４７を流下するパチンコ球が入賞可能な後述する第２特別入賞口５８ａが画成されている。
【００３９】
前記出口画成部５２は、図８,図９に示す如く、第２特別入賞口５８ａを画成する端部側に設けられて、後述する第２特別開閉部材５９の下側に位置する受け部５４と、該受け部５４の右端部に連設されて、該受け部５４から離間するにつれて下方傾斜して前記出口４７ｃを画成する傾斜面部５２ａとを備える。受け部５４の上面には、傾斜面部５２ａの上面に連なると共に該傾斜面部５２ａから離間するにつれて上方傾斜する第１傾斜案内面５４ａと、該第１傾斜案内面５４ａの傾斜上端に接続して該第１傾斜案内面５４ａから離間するにつれて下方傾斜する第２傾斜案内面５４ｂとが形成されている。すなわち、第１傾斜案内面５４ａは、第２特別入賞口側から出口側に向けて下方傾斜し、第２傾斜案内面５４ｂは、出口側から第２特別入賞口側に向けて下方傾斜している。そして、第１傾斜案内面５４ａで受けたパチンコ球を出口４７ｃに向けて案内すると共に、第２傾斜案内面５４ｂで受けたパチンコ球を第２特別入賞口５８ａに向けて案内し得るよう構成される。
【００４０】
(固定案内部５３について)
前記固定案内部５３は、図９,図１１に示す如く、前記入口画成部５０,５１、出口画成部５２および規制壁部４９から夫々離間した位置に配置されて、該固定案内部５３と入口画成部５０,５１、出口画成部５２および規制壁部４９との間にパチンコ球が流下(移動)可能な経路を画成している。具体的には、固定案内部５３と規制壁部４９との間に第１流下経路(流下経路)５５が画成されると共に、固定案内部５３と第２入口画成部５１との間に第２流下経路５６が画成され、固定案内部５３および第２入口画成部５１と出口画成部５２との間に排出経路５７が画成される。そして、前記第１および第２入口４７ａ,４７ｂから誘導経路４７に流入したパチンコ球は、固定案内部５３を挟んで左右に位置する第１流下経路５５または第２流下経路５６の何れかを流下して排出経路５７に流入し、該排出経路５７を流下したパチンコ球が前記出口４７ｃから前記下側第２球流下領域２１ｃに排出されるよう構成される。実施例では、第１流下経路５５に前記第２特別入賞口５８ａが開口しており、誘導経路４７に流入したパチンコ球が第１流下経路５５を流下する場合に第２特別入賞口５８ａに入賞する可能があり、パチンコ球が第２流下経路５６を流下する場合には第２特別入賞口５８ａに入賞する可能が略ないよう構成されている。言い替えると、誘導経路４７に流入したパチンコ球が第２特別入賞口５８ａに向かう場合に、該パチンコ球が第１流下経路５５を流下するようになっている。
【００４１】
前記固定案内部５３の上面は、図９,図１１に示す如く、第２流下経路側から第１流下経路側に向かうにつれて下方傾斜するよう形成されており、該固定案内部５３の上面に落下したパチンコ球を第１流下経路５５に向けて案内し得るよう構成される。言い替えると、固定案内部５３は、誘導経路４７を流下するパチンコ球を、前記第２特別入賞口５８ａに向けて案内可能に構成されている。また、固定案内部５３における下面は、上側から下側に向かうにつれて前記第２特別入賞口５８ａから離間するように斜めに形成されており、該固定案内部５３の下面と前記受け部５４との間に、後述する第２特別開閉部材５９が開放位置において入り込み得るよう構成される(図１１(ｂ)参照)。
【００４２】
(誘導部５０,５１,５２,５３および規制壁部４９の相互の関係について)
前記出口画成部５２における受け部５４は、図９,図１１に示す如く、前記規制壁部４９の膨出部４９ｂと固定案内部５３との間の下方に位置して、前記第１流下経路５５を流下するパチンコ球が該受け部５４に当り(落下し)得るよう構成される。また、前記規制壁部４９に膨出部４９ｂにおける傾斜上面は、前記第１入口画成部５０の下部側方に位置して、第１入口４７ａの下方において該第１入口４７ａの中央側に張り出すように設けられており、第１入口４７ａから誘導経路４７に流入したパチンコ球が膨出部４９ｂの傾斜上面に接触し、前記固定案内部５３や第２流下経路５６に向けて案内されるよう構成される。より詳細には、規制壁部４９の膨出部４９ｂと第１入口画成部５０との離間間隔は、パチンコ球が通過可能な寸法に設定されているが、膨出部４９ｂの右端面(傾斜上面の右端)と、第１入口画成部５０における第１入口４７ａを画成する端面を通る鉛直線Ｌとの左右方向の離間幅Ｍはパチンコ球の直径より小さく設定されており、第１入口画成部５０における第１入口４７ａを画成する端面に沿ってパチンコ球が真っ直ぐに流下する場合であっても、該パチンコ球は必ず膨出部４９ｂの傾斜上面に当るよう構成される。すなわち、第１入口４７ａから誘導経路４７に流入したパチンコ球が、前記膨出部４９ｂと固定案内部５３との間の下方に臨む受け部５４(出口画成部５２)上に直接落下しないよう構成されている。
【００４３】
(カバー部材７３について)
ここで、前記誘導経路４７および後述する第１球通路７８を画成するカバー部材７３について説明する。このカバー部材７３は、図６,図７に示す如く、全体が平板状の部材であって、上部側に、前記規制壁部４９、入口画成部５０,５１、固定案内部５３および出口画成部５２を挟んで前記経路用後壁部４８と対向する経路用前壁部(壁部,前壁部)７４が設けられている。そして、経路用前壁部７４の裏面を規制壁部４９、入口画成部５０,５１、固定案内部５３および出口画成部５２の前面に当接した状態で、該カバー部材７３を枠状装飾体２５に取り付けることで、前記誘導経路４７が画成されるよう構成される。また、カバー部材７３には、経路用前壁部７４に連設されて下方に延在する通路用前壁部(前壁部)７５が設けられており、該通路用前壁部７５の裏面を第１球通路７８を画成する画壁５４,８１,８２,８３の前面に当接した状態で、該カバー部材７３を枠状装飾体２５に取り付けることで、第１球通路７８が画成されるよう構成される(図１０参照)。
【００４４】
前記カバー部材７３は全体が透明に構成されており、経路用前壁部７４および通路用前壁部７５を透して誘導経路４７および第１球通路７８を流下するパチンコ球の動きが前側から視認可能に構成される。また、実施例では、前記経路用後壁部４８、規制壁部４９および各誘導部５０,５１,５２,５３も透明に構成されている。前記設置部材３３には、経路用後壁部４８の裏側に重なるようにして前記演出部３４が設けられており(図１０参照)、両壁部４８,７４を透して該経路用後壁部４８の後方に配置されている演出部３４が視認可能に構成される。なお、通路用前壁部７５の裏面に、前記出口画成部５２の下面に沿って延在するガイド板７６が設けられており、該ガイド板７６の右端部には下方傾斜する偏向部７６ａが設けられている。そして、第１球通路７８の後述する横球通路７８ａを横方向に流下するパチンコ球の向きを、偏向部７６ａによって下向きに偏向するよう構成されている。また、ガイド板７６は、図９に示す如く、出口画成部５２の略全長に亘って該出口画成部５２の下面に当接して、後述するように出口画成部５２(受け部５４)上にパチンコ球が落下した際の衝撃を該ガイド板７６で受け得るよう構成されている。
【００４５】
(第２特別入賞部５８について)
前記第２特別入賞部５８は、前記第１流下経路５５に開口し、該第１流下経路５５を流下するパチンコ球が入賞(入球)可能な第２特別入賞口(入賞口,入球口,第１の入球口)５８ａと、該第２特別入賞口５８ａを開閉可能な第２特別開閉部材(開閉部材)５９とを備え、該第２特別開閉部材５９は、駆動機構６０によって第２特別入賞口５８ａへのパチンコ球の入賞を阻止する閉成位置と、第２特別入賞口５８ａへのパチンコ球の入賞を許容する開放位置との間を往復移動されるよう構成される。なお、前記誘導経路４７に設けられた第１流下経路５５は、前記入口４７ａ,４７ｂを介して遊技領域２１(上側第２球流下経路２１ｂ)に連通しており、第２特別入賞口５８ａは、第１流下経路５５(誘導経路４７)を介して遊技領域２１に開口してパチンコ球が入賞可能な入賞口である。
【００４６】
前記第２特別開閉部材５９は、図１１に示す如く、前記出口画成部５２における受け部５４の上側において、前記誘導経路４７(第１流下経路５５)を形成する前後の壁部４８,７４の間に、前記閉成位置と開放位置との間を遊技盤２０の盤面(前面)に沿う方向に往復移動可能に支持されている。この第２特別開閉部材５９は、図６,図７に示す如く、基部６１と、該基部６１から上方に突出するように設けられた案内突部６２とを備え、基部６１が、前記経路用前壁部７４および経路用後壁部４８に対向して設けられたガイド部６３ａ,６３ｂに往復移動自在に支持されている。実施例では、経路用前壁部７４に形成されて前後方向に貫通する前ガイド孔６３ａと、経路用後壁部４８に形成されて前後方向に貫通する後ガイド孔６３ｂとがガイド部として設けられており、両ガイド孔６３ａ,６３ｂは、第２特別入賞口５８ａから離間するにつれて上方傾斜するように延在している。そして、基部６１における案内突部６２の前側に延出する前延出部６１ａおよび後側に延出する後延出部６１ｂが、図１２に示す如く、対応するガイド孔６３ａ,６３ｂに摺動自在に挿通されて、前後の延出部６１ａ,６１ｂがガイド孔６３ａ,６３ｂに沿って移動することで、第２特別開閉部材５９は閉成位置と開放位置との間を直線的に往復移動するよう構成される(図１１参照)。なお、基部６１における後延出部６１ｂには、図１３に示す如く、前記駆動機構６０を構成する連繋部材６９(後述)が連繋されて、該連繋部材６９を左右方向に揺動することで、第２特別開閉部材５９が往復移動するようになっている。
【００４７】
前記第２特別開閉部材５９の案内突部６２には、前記第１流下経路５５を流下するパチンコ球を受けて、前記第２特別入賞口５８ａから離間する方向に案内可能な第１案内面６２ａと、前記受け部５４へ案内可能な第２案内面６２ｂとが形成されている。具体的には、案内突部６２は、図９,図１１に示す如く、正面視において山形に形成されており、前記第２特別入賞口５８ａとは相反する側を向く面に、第２特別入賞口側に膨出する弧状の第１案内面６２ａが形成されて、該第１案内面６２ａで受けたパチンコ球を第２特別入賞口５８ａから離間する側へ案内するよう構成される。また、案内突部６２における第２特別入賞口５８ａを向く面に、上側から下側に向かうにつれて第２特別入賞口５８ａに近接するように傾斜する第２案内面６２ｂが形成されて、該第２案内面６２ｂで受けたパチンコ球を第２特別入賞口５８ａに向けて案内するよう構成される。
【００４８】
ここで、前記第２特別開閉部材５９は、前記閉成位置においては、図１１(ａ)に示す如く、前記固定案内部５３から離間して前記案内突部６２の一部が前記規制壁部４９における膨出部４９ｂの下側に入り込むと共に、案内突部６２の上端が該膨出部４９ｂとの間にパチンコ球が通過不能な間隔で近接するように設定される。すなわち、第２特別開閉部材５９の閉成位置において前記第１案内面６２ａは、前記固定案内部５３に離間して対向するように臨み、膨出部４９ｂと固定案内部５３との間に画成される第１流下経路５５を流下するパチンコ球が該第１案内面６２ａに当接可能に構成されている。また、第２特別開閉部材５９は、前記開放位置においては、図１１(ｂ)に示す如く、前記固定案内部５３に近接して前記案内突部６２における第１案内面６２ａが固定案内部５３の下側に入り込むと共に、該案内突部６２の上端が固定案内部５３との間にパチンコ球が通過不能な間隔で近接するように設定される。すなわち、第２特別開閉部材５９の閉成位置において前記第２案内面６２ｂは、前記膨出部４９ｂから右方にパチンコ球が通過可能な間隔で離間して前記画壁部４９ｃを向くように臨み、前記第１流下経路５５を流下するパチンコ球が該第２案内面６２ｂに当接可能に構成されている。すなわち、第２特別開閉部材５９には、第１流下経路５５を流下するパチンコ球を、閉成位置において第２特別入賞口５８ａから離間する方向に案内可能な第１案内面６２ａと、開放位置において第２特別入賞口５８ａに向けて案内可能な第２案内面６２ｂとが相反する面に形成されている。具体的には、第２特別開閉部材５９の閉成位置では、該第２特別開閉部材５９は前記受け部５４における第２傾斜案内面５４ｂの上側に位置して、右方を向く第１案内面６２ａで受けたパチンコ球を受け部５４における第１傾斜案内面５４ａに向けて案内し、該パチンコ球が第１傾斜案内面５４ａおよび前記傾斜面部５２ａを介して前記出口４７ｃから下側第２球流下領域２１ｃに排出されるようになっている。また、第２特別開閉部材５９の開放位置では、該第２特別開閉部材５９は受け部５４における第１傾斜案内面５４ａの上側に位置して、左方を向く第２案内面６２ｂで受けたパチンコ球を受け部５４における第２傾斜案内面５４ｂに向けて案内し、該パチンコ球が第２傾斜案内面５４ｂを介して第２特別入賞口５８ａに入賞するようになっている。
【００４９】
ここで、前記第２特別開閉部材５９の開放位置および開閉位置では、前記固定案内部５３で案内されたパチンコ球が受け部５４(第１傾斜案内面５４ａや第２傾斜案内面５４ｂ)に直接落下する場合があるが、該受け部５４は、第２特別開閉部材５９とは別の部材である前記経路用後壁部４８に設けられており、該受け部５４にパチンコ球が落下した際の衝撃が第２特別開閉部材５９に直接加わることはないよう構成されている。
【００５０】
(駆動機構６０について)
次に、前記第２特別開閉部材５９を往復移動させる駆動機構６０について説明する。駆動機構６０は、図１３,図１４に示す如く、第２特別開閉部材５９の基部６１に連繋されて支持軸７０(図７参照)を中心として揺動変位する連繋部材６９と、第２特別入賞ソレノイド(駆動手段)６７と、該第２特別入賞ソレノイド６７のプランジャ６７ａに取り付けられ、前記連繋部材６９に連繋接続する作動部材７１とから構成される。すなわち、第２特別入賞ソレノイド６７の作動に伴い作動部材７１が移動することで、連繋部材６９が揺動変位し、該連繋部材６９の揺動変位に伴い第２特別開閉部材５９が閉成位置および開放位置に変位するようになっている(図１１参照)。
【００５１】
前記駆動機構６０は、図１２に示す如く、ケース部材６４を介して前記経路用後壁部４８の裏側に着脱自在に取り付けられるよう構成されている。ケース部材６４は、前ケース体６５と後ケース体６６とを前後に組み付けることで構成されて、両ケース体６５,６６の間に、前記第２特別入賞ソレノイド６７が配設されている。第２特別入賞ソレノイド６７は、プランジャ６７ａを左方側に位置させた姿勢でケース部材６４に配設されており、該第２特別入賞ソレノイド６７への通電に伴いプランジャ６７ａが右方移動し、通電停止に伴いプランジャ６７ａが左方移動するよう構成されている。プランジャ６７ａには、該プランジャ６７ａと一体的に移動するように前記作動部材７１が連繋されており、該作動部材７１と前記連繋部材６９とを介して第２特別入賞ソレノイド６７と第２特別開閉部材５９とが連繋接続するよう構成されて、前記制御手段が第２特別入賞ソレノイド６７を通電制御することで第２特別開閉部材５９が第２特別入賞口５８ａを開閉するよう構成されている。なお、プランジャ６７ａは、圧縮コイルバネ６８によって常には左方に向けて付勢されており、第２特別入賞ソレノイド６７への通電停止時には圧縮コイルバネ６８の付勢力によってプランジャ６７ａが左方移動するようになっている。
【００５２】
(連繋部材６９について)
図７に示すように、前記連繋部材６９は、前記経路用後壁部４８の裏面に突設されて後方に延出する支持軸７０に回転自在に支持される支持部６９ａから径方向へアーム部６９ｂが延出するよう形成されると共に、該アーム部６９ｂの延出端部に、Ｕ字状に連繋部６９ｃが形成されている。ここで、前記アーム部６９ｂは、図１４(ａ)に示す前記第２特別開閉部材５９が閉成位置にある状態で、前記支持軸７０から上方へ延在するよう形成されており、該第２特別開閉部材５９が開放位置へ直線的に変位するのに伴い支持軸７０を中心として右方向(図１４(ｃ)では左方向)に回転変位するようになっている。また、連繋部材６９には、第２特別開閉部材５９が閉成位置にある状態において、支持軸７０の左方位置に規制突部(規制部)６９ｄが後方へ突出するよう形成されている。更に、連繋部材６９には、前記支持部６９ａにおける支持軸７０の支持位置から径方向に離間する位置に、後方に延出する連繋軸部６９ｅが設けられている。
【００５３】
(作動部材７１について)
前記作動部材７１は、図１３に示すように、前記プランジャ６７ａが連結される連結部７１ａと、該連結部７１ａから左方(図１３では右方)へ延在する支持板７１ｂとを備えており、前記第２特別入賞ソレノイド６７の駆動に伴い前記第２特別開閉部材５９の開放を規制するロック位置と、該第２特別開閉部材５９の開放位置に対応した作動位置との間を直線的に往復移動するよう構成されている。ここで、第２特別入賞ソレノイド６７の通電を停止してプランジャ６７ａが左方移動することで、作動部材７１がロック位置(図１４(ａ)参照)に変位する。そして、第２特別入賞ソレノイド６７に通電してプランジャ６７ａが右方移動することで、作動部材７１が作動位置(図１４(ｃ)参照)に変位するようになっている。すなわち、前記作動部材７１は、前記圧縮コイルバネ６８により常にはロック位置へ付勢されており、第２特別入賞ソレノイド６７の通電停止時にプランジャ６７ａが左方移動することでロック位置に保持されるよう構成されている。
【００５４】
また、図１３,図１４に示すように、前記作動部材７１(支持板７１ｂ)には、前記連繋部材６９の連繋軸部６９ｅの形成位置に、前後に開口する開閉作動孔７１ｃが開設されている。そして、開閉作動孔７１ｃに連繋軸部６９ｅが前側から遊嵌されて、作動部材７１の左右移動に伴って開閉作動孔７１ｃと連繋軸部６９ｅとが係脱可能に係合するようになっている。ここで、作動部材７１がロック位置にある状態では、開閉作動孔７１ｃの開口左縁部よりも連繋軸部６９ｅが右方に離間して係合解除され、該作動部材７１がロック位置および作動位置の間の後述するロック解除位置(図１４(ｂ)参照)へ移動した際に、開閉作動孔７１ｃの開口左縁部に連繋軸部６９ｅが当接係合するよう構成されている。すなわち、作動部材７１がロック位置およびロック解除位置の間を移動する間は、連繋部材６９が回転することなく保持され、作動部材７１がロック解除位置および作動位置の間を移動することで、開閉作動孔７１ｃの開口縁と連繋軸部６９ｅとの当接係合下で連繋部材６９が回転変位されて、前記第２特別開閉部材５９が閉成位置および開放位置に変位するようになっている。
【００５５】
前記作動部材７１(支持板７１ｂ)には、該作動部材７１が前記ロック位置にある状態で、図１４(ａ)に示す如く、前記連繋部材６９の規制突部６９ｄの上側に延在するロック部７１ｄが設けられている。そして、作動部材７１がロック位置にある状態において、規制突部６９ｄの上側に位置するロック部７１ｄが、前記閉成位置から開放位置へ移動する前記連繋部材６９における規制突部６９ｄの上端に当接係合するようになっている。また、作動部材７１がロック位置および作動位置の間のロック解除位置へ移動した状態では、ロック部７１ｄが連繋部材６９における規制突部６９ｄの移動軌道上から離間して(図１４(ｂ)参照)、ロック部７１ｄと規制突部６９ｄとの係合が解除されるように構成される。すなわち、作動部材７１がロック位置にある状態では、ロック部７１ｄと規制突部６９ｄの当接係合下において第２特別開閉部材５９の閉成位置から開放位置への変位が規制され、作動部材７１がロック解除位置に移動してロック部７１ｄと規制突部６９ｄの当接係合状態が解除されることで、第２特別開閉部材５９の閉成位置から開放位置への変位が許容されるようになっている。
【００５６】
図７,図１２に示す如く、前記前ケース体６５には、前記経路用後壁部４８に形成された前記後ガイド孔６３ｂと前後に整列する位置に、前後方向に貫通する支持用ガイド孔６５ａが、後ガイド孔６３ｂと平行に形成されている。そして、前記第２特別開閉部材５９に設けた前記後延出部６１ｂにおける後ガイド孔６３ｂから後方に突出する突出端部が、該支持用ガイド孔６５ａに摺動自在に支持されている。前記後延出部６１ｂには、経路用後壁部４８と前ケース体６５との間に臨む部位に上下方向に貫通する係合孔６１ｃが形成されており、前記連繋部材６９の連繋部６９ｃが係合孔６１ｃに連繋されて、連繋部材６９の揺動に伴って連繋部６９ｃと係合孔６１ｃとの係合作用下に、第２特別開閉部材５９が往復移動するよう構成される。実施例では、連繋部材６９の連繋部６９ｃと後延出部６１ｂ(係合孔６１ｃ)とが係合する係合部位を挟む前後両側で、該後延出部６１ｂを後ガイド孔６３ｂおよび支持用ガイド孔６５ａで支持するよう構成されている。
【００５７】
前記第２特別入賞部５８には、第２特別入賞口５８ａに入賞したパチンコ球を検出する第２特別入賞検出センサ７２が配設されている。第２特別入賞検出センサ７２は、前記制御手段に配線接続されており、第２特別入賞検出センサ７２がパチンコ球を検出すると、検出信号を制御手段に出力し、該制御手段の制御下に予め設定された数の賞球が払い出されるようになっている。なお、第２特別入賞ソレノイド６７は、後述する如く、始動入賞部３５,９３へのパチンコ球の入賞を契機として特図当り判定において当選した場合に付与される当り遊技(大当り遊技)において、当りの種類に応じた所定の開閉条件に従って制御手段によって駆動制御される。実施例では、前記第１流下経路５５に開口する第２特別入賞口５８ａへの入賞によって所定数の賞球が払い出されるよう構成されており、該第２特別入賞口５８ａは、パチンコ球が入賞(入球)することによって、入賞(入球)しない場合より遊技者にとって有利が状態が付与される入賞口(入球口)である。
【００５８】
(球通路７７について)
実施例のパチンコ機１０は、前記第２特別入賞口５８ａに連通し、該第２特別入賞口５８ａに入賞したパチンコ球を排出案内する球通路７７が設けられている。球通路７７は、前記枠状装飾体２５に設けられた第１球通路７８と、前記設置部材３３に設けられた第２球通路７９とから構成される。
【００５９】
(第１球通路７８について)
前記枠状装飾体２５に設けられる第１球通路７８は、前記経路用後壁部４８に連設された通路用後壁部８０と、該通路用後壁部８０から前方に延出するように設けられてパチンコ球が通過可能な間隔で離間する画壁５４,８１,８２,８３と、前記カバー部材７３に設けられた前記通路用前壁部７５とによって画成されて、該第１球通路７８は、前記遊技盤２０の前側を延在するように設けられている(図１０参照)。具体的には、通路用後壁部８０および画壁５４,８１,８２,８３によって前側に開口する樋状の球通路部が形成されて、該球通路部の前側開口を通路用前壁部７５によって塞ぐことで第１球通路７８が内部に画成される。すなわち、枠状装飾体２５に形成される誘導経路４７(第１流下経路５５)を画成する経路用前壁部７４を備えるカバー部材７３(具体的には通路用前壁部７５)が、第２特別入賞口５８ａに入賞したパチンコ球を排出案内する第１球通路７８(球通路７７)の前壁を構成するようになっている。言い替えると、カバー部材７３を構成するように一体に形成された１つの壁部７４,７５が、誘導経路４７および第１球通路７８(球通路７７)を画成する前壁を構成して、部品点数を低減し得るよう構成されている。実施例では、第１球通路７８が、枠状装飾体２５に配設される球通路である。
【００６０】
前記遊技盤２０の前側を延在する前記第１球通路７８は、図８,図９に示す如く、前記第２特別入賞口５８ａに連通して前記出口画成部５２の下方を左右方向に延在する横球通路７８ａと、該横球通路７８ａの右端部に上端部が連通接続されて下方に延在し、後述す第２アウト口８７が下端部で連通する縦球通路７８ｂとを備えている。すなわち、前記球通路７７における第２特別入賞口５８ａに連通する連通部から、第２アウト口８７が連通する連通部(後述する合流部８９)までの通路部分(第１球通路７８)が、遊技盤２０の前側を延在して、該球通路７７における遊技盤２０の前側を延在する通路部分(第１球通路７８)を流下するパチンコ球の動きを透明なカバー部材７３を介して前側から視認可能に構成されている。実施例では、横球通路７８ａを画成する上側の画壁５４は、前記出口画成部５４が兼用しているので、同一符号で示している。なお、上側の画壁を出口画成部５４とは別に設けてもよい。また、縦球通路７８ｂを画成する左右に離間する画壁８２,８３について、左画壁８２および右画壁８３と指称して区別する場合がある。
【００６１】
前記第１球通路７８の縦球通路７８ｂを画成する右画壁８３は、前記枠状装飾体２５における台板部４３より前側に延出して、図３,図９に示す如く、該右画壁８３と前記盤面飾り部材２９との間に前記下側第２球流下領域２１ｃ(遊技領域２１)が画成されるようになっている。すなわち、前記第２特別入賞口５８ａに入賞したパチンコ球を排出案内する第１球通路７８(球通路７７)を画成する右画壁８３(壁部)が、遊技領域２１を画成する壁の一部として構成されている。言い替えると、枠状装飾体２５に設けられて遊技盤２０の前側を延在する右画壁８３が、第１球通路７８を画成する壁部と遊技領域２１(下側第２球流下領域２１ｃ)を画成する壁部とを兼用して、部品点数を低減し得るよう構成されている。
【００６２】
前記縦球通路７８ｂの下端部には、後方に開口する球出口７８ｃが開設されており、該球出口７８ｃに、前記第２球通路７９を画成する後述する通路画成部８５の上端部において前側に開口するように形成された球入口７９ａが連通接続されている。具体的には、縦球通路７８ｂを画成する通路用後壁部８０に、図４,図５に示す如く、球出口７８ｃを画成すると共に後方に延出する筒状の接続口部８４が設けられており、該接続口部８４が通路画成部８５に接続されることで球出口７８ｃと球入口７９ａとが連通するよう構成される(図１０参照)。すなわち、第１球通路７８における第２アウト口８７との合流部８９より下流側が第２球通路７９に連通接続されており、前記球通路７７は、第２アウト口８７との合流部８９より下流側が遊技盤２０の裏側を延在するよう構成されている。
【００６３】
(第２球通路７９について)
前記設置部材３３には、前記遊技盤２０の裏側を上下方向に延在する筒状の通路画成部８５が配設されており、該通路画成部８５によって第２球通路７９が画成されている。通路画成部８５の上端部には、図３,図４,図５に示す如く、前側に開口する球入口７９ａが開設されており、該球入口７９ａを画成する通路画成部８５の開口端と前記球出口７８ｃを画成する接続口部８４の開口端とを前後に整合することで、第１球通路７８と第２球通路７９とが連通接続されている(図１０参照)。また、通路画成部８５の下端には、設置部材３３の下端で開口する排出口(図示せず)が形成されており、前記第２特別入賞口５８ａに入賞したパチンコ球は、第１球通路７８および第２球通路７９を通って排出口から機外に排出されるようになっている。
【００６４】
(第２アウト口８７について)
前記縦球通路７８ｂの下端部には、図９に示す如く、アウト口用通路部(通路部)８６が下側第２球流下領域２１ｃに向けて延出するように設けられており、アウト口用通路部８６の延出端に下側第２球流下領域２１ｃに開口する第２アウト口(第２の入球口)８７が形成されている。すなわち、下側第２球流下領域２１ｃ(遊技領域２１)から第２アウト口８７に入球したパチンコ球は、アウト口用通路部８６を介して縦球通路７８ｂに通入し、該パチンコ球が、前記第２特別入賞口５８ａに入賞したパチンコ球が排出案内される同じ球通路７７を介して機外に排出されるよう構成される。ここで、アウト口用通路部８６で画成されるアウト口通路８８と縦球通路７８ｂとが接続する領域を、他の領域と区別する場合には合流部８９と指称する場合がある。すなわち、第１球通路７８(球通路７７)における遊技盤２０の前側に位置する合流部８９に、第２の入球口としての第２アウト口８７が連通しており、枠状装飾体２５に設けられて遊技領域２１を流下するパチンコ球が入球する第２特別入賞口５８ａおよび第２アウト口８７(複数の入球口)が共通する球通路７７を介して機外に排出されるようになっている。
【００６５】
前記アウト口用通路部８６は、図９に示す如く、下側第２球流下領域２１ｃに向けて斜め上方に向けて突設されており、第２アウト口８７に入球して上下方向に延在する合流部８９に一旦通入したパチンコ球や、前記第２特別入賞口５８ａに入賞して縦球通路７８ｂを流下して合流部８９に至ったパチンコ球が、該アウト口用通路部８６(アウト口通路８８)を介して下側第２球流下領域２１ｃに排出されるのを抑制し得るよう構成されている。また、アウト口用通路部８６の内面(第２アウト口８７を画成する内壁)には、合流部８９に開口する開口縁８６ａ(合流部８９と第２アウト口８７との連通部)に、アウト口通路側に突出する逆流防止部９０が設けられている。この逆流防止部９０は、図１５に示す如く、アウト口用通路部８６の後側の内面において、アウト口通路８８の上下方向の全長に亘って延在するように設けられており、合流部８９に至ったパチンコ球がアウト口通路８８に逆流するのを防止するよう構成される。具体的に、逆流防止部９０は、平断面において三角形に形成されたものであって、合流部側の面がアウト口用通路部８６の内面から前側に向けて直角に延在するように形成されると共に、第２アウト口側の面が前端から第２アウト口側に向かうにつれて後側に近接するように斜めに形成されている。すなわち、第２アウト口８７から合流部８９に向かうパチンコ球を傾斜面で円滑に案内し得ると共に、合流部８９から第２アウト口８７に向かうパチンコ球の移動を直角面で規制し得るよう構成される。
【００６６】
前記通路用前壁部７５および通路用後壁部８０には、図１０に示す如く、縦球通路７８ｂを画成する領域に、上下方向に離間して複数の減勢突部９１,９２が左右方向の全幅に亘って延在するように設けられており、縦球通路７８ｂを流下するパチンコ球が減勢突部９１,９２に接触することで該パチンコ球を減勢するよう構成されている。通路用前壁部７５に設けられる前減勢突部９１と、通路用後壁部８０に設けられる後減勢突部９２とは、上下方向において千鳥状となるように配置されている。そして、通路用前壁部７５に設けられている最下部の前減勢突部９１ａが、図１６に示す如く、前記アウト口用通路部８６の前記開口縁８６ａにおける上側の縁に対応する位置に臨むように設けられている。なお、通路用前壁部７５に設けられている最下部の前減勢突部９１ａについて、以後は他の前減勢突部９１と区別する場合には下端減勢突部９１ａと指称する。すなわち、下端減勢突部９１ａを、前記逆流防止部９０が設けられる縁(後側の縁)と対向する側(前側)の面に下端減勢突部９１ａを設けることで、該下端減勢突部９１ａに当ったパチンコ球の流下向きを逆流防止部９０が設けられている側(後側)に変えることができ、該パチンコ球を前記逆流防止部９０に当り易くしている。これにより、縦球通路７８ｂを前後の減勢突部９１,９２に当ることで前後に変位しつつ流下するパチンコ球が、逆流防止部９０が形成されていない側(前側)に変位してアウト口通路８８に流入してしまうのを防止し得るようになっている。
【００６７】
(第２アウト口８７に対応する遊技釘２３ａ,２３ｂの配置について)
実施例では、前記下側第２球流下領域２１ｃにおける第２アウト口８７の右側(外側)に臨む位置に、上下に離間して遊技釘２３ａ,２３ｂが植設されており、該遊技釘２３ａ,２３ｂの間を通過したパチンコ球が第２アウト口８７に入球するよう構成されている。この第２アウト口８７へのパチンコ球の入球を許容する上下の遊技釘２３ａ,２３ｂについて、他の遊技釘２３と区別する場合はアウト用遊技釘と指称する場合がある。アウト用遊技釘２３ａ,２３ｂは、パチンコ球が通過可能な間隔で植設された内側アウト用遊技釘２３ａ,２３ａと、同じくパチンコ球が通過可能な間隔で植設された外側アウト用遊技釘２３ｂ,２３ｂとからなり、内側アウト用遊技釘２３ａ,２３ａに対して外側アウト用遊技釘２３ｂ,２３ｂは、図９に示す如く、所定高さだけ低い位置に臨むように下方にずれた位置に植設されて、下側第２球流下領域２１ｃを流下するパチンコ球が第２アウト口８７へ入球し難くしてある。
【００６８】
前記第２アウト口８７に対する上側の外側アウト用遊技釘２３ｂの位置について詳しく述べると、図９に示す如く、上側の外側アウト用遊技釘２３ｂは、第２アウト口８７の上端縁を通る水平線Ｎより下側(第２アウト口８７の中央側)に位置するよう設定される。具体的には、上側の外側アウト用遊技釘２３ｂにおいて、アウト口用通路部８６を構成する下側および後側の壁に接触した状態のパチンコ球の周面が接触する部位が、前記水平線Ｎより下側(第２アウト口８７の中央側)に位置するよう設定される。また、上側の外側アウト用遊技釘２３ｂと第２アウト口８７との離間間隔は、パチンコ球の半径より狭く設定されている。すなわち、第２アウト口８７に対して上側の外側アウト用遊技釘２３ｂを、パチンコ球の半径より短い間隔で離間した外側において開口中央側に位置させることで、前記アウト口通路８８を第２アウト口側に戻ってきて該第２アウト口８７から下側第２球流下領域２１ｃに部分的に出たパチンコ球を、該上側の外側アウト用遊技釘２３ｂによってアウト口通路８８に戻し得るよう構成される。
【００６９】
(第２始動入賞部９３について)
前記第２始動入賞部９３は、図２,図３,図９に示すように、前記下側第２球流下領域２１ｃを流下するパチンコ球が入賞(入球)し得るよう、前記枠状装飾体２５の右側部であって前記第２アウト口８７の下方に配設されている。第２始動入賞部９３は、枠状装飾体２５の右側面に形成されて下側第２球流下領域２１ｃ(遊技領域２１)に開口する第２始動入賞口９３ａ(第３の入球口)と、当該第２始動入賞口９３ａを開放可能に閉鎖する始動口開閉部材(開閉部材)９４と、当該始動口開閉部材９４を開閉作動する駆動手段としての始動入賞ソレノイド９５とを備えており、当該始動入賞ソレノイド９５の駆動に伴って始動口開閉部材９４が第２始動入賞口９３ａを開閉するようになっている。ここで、前記第２始動入賞口９３ａは、枠状装飾体２５の右側方に開口するよう形成されると共に、前記始動口開閉部材９４は、前後方向に延在する支軸９４ａを介して第２始動入賞口９３ａの開口下縁部側に揺動可能に軸支されており、始動入賞ソレノイド９５の駆動に伴って、第２始動入賞口９３ａを閉鎖してパチンコ球の入賞を阻止する閉成姿勢と、第２始動入賞口９３ａを開放してパチンコ球の入賞を許容する開放姿勢とに揺動変位し得るようになっている。すなわち、第２始動入賞口９３ａは、始動入賞ソレノイド９５を駆動することでパチンコ球の入賞確率を可変し得るよう構成される。なお、始動入賞ソレノイド９５は、前記ゲート部３８のパチンコ球の通過を契機として普図当り判定において当選した場合に付与される普図当り遊技において、当りの種類に応じた所定の開閉条件に従って制御手段によって駆動制御される。
【００７０】
前記枠状装飾体２５には、図４,図５,図７に示す如く、前記第２始動入賞口９３ａに入賞したパチンコ球を裏側に通出案内する案内通路９６ａを画成する案内通路部９６が設けられると共に、該案内通路部９６における枠状装飾体２５の後側に臨む部位に、後方に開口する球出口９６ｂが形成されている。前記第２球通路７９を構成する通路画成部８５には、図３,図５に示す如く、側方に延在して誘導通路９７ａを内部画成する誘導通路部９７の一端が、誘導通路９７ａと第２球通路７９とを連通するように接続されると共に、誘導通路部９７の他端に開口形成された球入口９７ｂが、前記案内通路部９６の球出口９６ｂに連通接続されている。すなわち、第２始動入賞口９３ａに入賞したパチンコ球は、案内通路部９６で画成される案内通路９６ａおよび誘導通路部９７で画成される誘導通路９７ａによって第２球通路７９に誘導されるようになっている。このように、実施例のパチンコ機１０では、球通路７７を構成して遊技盤２０の裏側を延在する第２球通路７９に、第３の入球口としての第２始動入賞口９３ａが連通接続されており、該第２球通路７９は、前記第２特別入賞口５８ａ、第２アウト口８７および第２始動入賞口９３ａに入球したパチンコ球を共通して排出案内する通路として機能するよう構成されている。なお、前記設置部材３３の前側に遊技盤２０を取り付けた状態で、前記枠状装飾体２５の裏側に配設されている前記始動入賞ソレノイド９５に通路画成部８５が干渉しないように、該通路画成部８５は始動入賞ソレノイド９５の上方および側方に延在するように屈曲形成されている(図５参照)。
【００７１】
前記案内通路部９６には、第２始動入賞口９３ａに入賞したパチンコ球を検出す第２始動入賞検出センサ９８が配設されている。第２始動入賞検出センサ９８は、前記制御手段に配線接続されており、第２始動入賞検出センサ９８がパチンコ球を検出すると、検出信号を制御手段に出力し、該制御手段の制御下に予め設定された数の賞球が払い出されるようになっている。
【００７２】
実施例のパチンコ機１０では、前記第１始動入賞検出センサまたは第２始動入賞検出センサ９８によるパチンコ球の検出(すなわち第１および第２始動入賞口３５ａ,９３ａへのパチンコ球の入賞)を契機として特図当り判定(大当り判定)が行われるよう構成されている。そして、特図当り判定の結果に基づいて前記表示装置１７において図柄変動演出(図柄変動)が実行されて、該図柄変動演出の結果、表示装置１７に所定の図柄組み合わせ(例えば同一図柄の３つ揃い等)で図柄が停止表示されることで所謂大当り(当り)が発生した場合に、大当りの発生に伴って前記第１または第２特別入賞部３７,５８の特別入賞口３７ａ,５８ａが開放して多数の賞球を獲得し得る機会が与えられるようになっている。
【００７３】
前記第２始動入賞部９３は、始動口開閉部材９４の前側を覆う光透過性の装飾部品９９を備えている。また、枠状装飾体２５には、第２始動入賞部９３の配設位置に対応する裏側に、ＬＥＤ等の発光体１００ａを備える発光基板１００が配設されており、該発光体１００ａを発光することで、前記装飾部品９９を発光装飾し得るよう構成されている。
【００７４】
(実施例の作用)
次に、実施例に係るパチンコ機１０の作用につき説明する。
【００７５】
前記前枠１３の前面側に設けられた前記操作ハンドル１６の操作レバー１６ａを遊技者が回転操作すると、前記打球発射装置から発射されたパチンコ球が前記遊技盤２０に設けた案内レール２２により画成された発射通路３１の打出し口３１ａを介して遊技領域２１内に打ち出される。このとき、前記操作レバー１６ａの回動量に応じてパチンコ球の打ち出し位置が変化し、打ち出し位置に応じて遊技領域２１の第１球流下領域２１ａまたは第２球流下領域２１ｂ,２１ｃをパチンコ球が流下する。
【００７６】
前記第１球流下領域２１ａを流下する「左打ち」となるようパチンコ球が打ち出されて、前記第１始動入賞部３５の第１始動入賞口３５ａにパチンコ球が入賞すると、前記制御手段の制御に基づいて前記表示装置１７での図柄変動演出が開始され、図柄変動演出の結果、表示装置１７に所定の図柄組み合わせが表示されると大当りが発生する。大当りが発生すると、表示装置１７に表示された図柄組み合わせに応じて、前記第１特別入賞部３７の第１特別入賞口３７ａまたは第２特別入賞部５８の第２特別入賞口５８ａが開放される。なお、第１始動入賞口３５ａに入賞することなく遊技領域２１の最下部まで流下したパチンコ球は、前記第１アウト口２６に入球して機裏側に回収される。
【００７７】
前記打球発射装置の打球力を強めるように操作レバー１６ａを右回転させて、パチンコ球を第２球流下領域２１ｂ,２１ｃを流下させる「右打ち」を行うと、前記打出し口３１ａから遊技領域２１に打ち出されたパチンコ球は、前記外レール２８に沿って枠状装飾体２５の右側に打ち込まれる。前記上側第２球流下領域２１ｂに出ち込まれて、前記緩衝ゴム３２に当ったパチンコ球は減勢されて、前記第１入口４７ａまたは第２入口４７ｂから誘導経路４７に流入する。第１入口４７ａから誘導経路４７に流入したパチンコ球は、前記規制壁部４９おける膨出部４９ｂの傾斜上面に当ることで前記固定案内部５３や第２流下経路５６に向けて案内される。第２流下経路５６に案内されたパチンコ球は、前記出口画成部５２における傾斜面部５２ａ上に落下し、該傾斜面部５２ａに沿って右方に流下して前記出口４７ｃから下側第２球流下領域２１ｃに排出される。
【００７８】
前記膨出部４９ｂによって固定案内部５３に案内されたパチンコ球は、該固定案内部５３に上面の傾斜に沿って前記第２特別入賞口５８ａに向けて案内される。前記第２特別開閉部材５９の閉成位置では、図１１(ａ)に示す如く、該第２特別開閉部材５９は第２特別入賞口５８ａを閉成すると共に前記受け部５４における第２傾斜案内面５４ｂの上側に位置して、前記案内突部６２の第１案内面６２ａが固定案内部５３に対して第１流下経路５５を挟んで対向している。従って、固定案内部５３で案内されて第２特別入賞口５８ａに向かうように第１流下経路５５を流下するパチンコ球は、前記案内突部６２の第１案内面６２ａで受けられて、前記受け部５４における第１傾斜案内面５４ａに案内される。そして、第１傾斜案内面５４ａ上に落下したパチンコ球は、該第１傾斜案内面５４ａから前記傾斜面部５２ａに移動して前記出口４７ｃから下側第２球流下領域２１ｃに排出される。
【００７９】
また、前記第２入口４７ｂから誘導経路４７に流入したパチンコ球は、前記緩衝ゴム３２に当って減勢された際の勢いの違いによって、前記第２流下経路５６を流下して前述したように出口４７ｃから下側第２球流下領域２１ｃに排出されたり、前記固定案内部５３で案内されて第２特別開閉部材５９の第１案内面６２ａで受けられた後に、第１傾斜案内面５４ａおよび傾斜面部５２ａ上を移動して出口４７ｃから下側第２球流下領域２１ｃに排出される。誘導経路４７には複数の入口４７ａ,４７ｂからパチンコ球が流入可能であるので、誘導経路４７でのパチンコ球の流下態様が単調となるのを防いで遊技の興趣を向上し得る。しかも、誘導経路４７の内部においても、前記固定案内部５３によって複数の流下経路５５,５６が画成されているので、パチンコ球の流下態様をより複雑にして遊技の興趣を向上することができる。
【００８０】
ここで、前記緩衝ゴム３２におけるパチンコ球の当接部位に近接する前記第２入口４７ｂから誘導経路４７に流入するパチンコ球は、該緩衝ゴム３２との当接によって充分に減勢されているので、該第２入口４７ｂから誘導経路４７に流入したパチンコ球が第２特別開閉部材５９に直接当ったり、前記固定案内部５３を介して当ったとしても、該第２特別開閉部材５９に与える衝撃は小さい。これに対し、前記第１入口４７ａは、第２入口４７ｂより上方に位置して、該第１入口４７ａから第２特別開閉部材５９までの落差は大きく、第１入口４７ａから誘導経路４７に流入したパチンコ球が第２特別開閉部材５９に直接衝突した場合には大きな衝撃が加わるおそれがある。しかしながら、実施例のパチンコ機１０では、前述したように第１入口４７ａの下方に規制壁部４９の膨出部４９ｂを張り出すように臨ませているので、該第１入口４７ａから誘導経路４７に流入したパチンコ球は、必ず膨出部４９ｂの傾斜上面に当ることで減勢され、前述したように固定案内部５３で案内されたパチンコ球が第２特別開閉部材５９に当った際の衝撃を弱くし得る。また、パチンコ球が固定案内部５３に当った際にも減勢される。
【００８１】
また、前記第２特別開閉部材５９は、図１２に示す如く、パチンコ球を受ける案内突部６２の前後に延出する延出部６１ａ,６１ｂが対応する経路用前壁部７４および経路用後壁部４８のガイド孔６３ａ,６３ｂに支持されているので、軸を中心に回動するように構成されている従来の開閉部材の場合に比べて、案内突部６２にパチンコ球が当った際の衝撃を広い面積で受けることができ、第２特別開閉部材５９や前記駆動機構６０が損傷するのを防止し得る。また、第２特別開閉部材５９を、その往復移動方向と交差する方向の両側で支持するよう構成したので、該第２特別開閉部材５９を安定して往復移動させることができる。
【００８２】
前記大当り遊技の発生に伴って前記第２特別開閉部材５９が図１１(ｂ)に示す開放位置に移動すると、該第２特別開閉部材５９は固定案内部５３の下側に入り込み、前記受け部５４における第１傾斜案内面５４ａの上側に位置する。この状態では、前記第１入口４７ａまたは第２入口４７ｂから誘導経路４７に流入したパチンコ球が前記固定案内部５３によって第２特別入賞口５８ａに向けて案内されて第１流下経路５５を流下する場合に、該パチンコ球が第２特別開閉部材５９に当ることは少なく、該パチンコ球は前記受け部５４における第２傾斜案内面５４ｂに落下し、該第２傾斜案内面５４ｂに沿って第２特別入賞口５８ａに円滑に案内される。また、前記第１流下経路５５を流下するパチンコ球が開放位置の第２特別開閉部材５９に当ることもあるが、該パチンコ球は固定案内部５３から左方(第２特別入賞口側)に露出している前記第２案内面６２ｂで受けられて、受け部５４の第２傾斜案内面５４ｂに案内され、該第２傾斜案内面５４ｂによって第２特別入賞口５８ａに円滑に案内される。第２特別入賞口５８ａが開放された場合は、遊技者は多くのパチンコ球の入賞を目指して右打ちを行うので、多数のパチンコ球が誘導経路４７に流入するが、多くのパチンコ球が開放位置の第２特別開閉部材５９に当ることはなく、また当ったとしてもそのパチンコ球の勢いは規制壁部４９や複数の誘導部５０,５１,５３に当って減勢されるので、第２特別開閉部材５９に加わる衝撃は小さい。しかも、第２特別入賞口５８ａにパチンコ球を案内する受け部５４は、第２特別開閉部材５９とは別部材である前記経路用後壁部４８に設けられたものであるので、多くのパチンコ球が受け部５４に当ったとしても、第２特別開閉部材５９に衝撃が加わることはなく、第２特別開閉部材５９が損傷するのは防止される。
【００８３】
すなわち、実施例のパチンコ機１０では、前記第２特別入賞口５８ａを開放した場合に、前記誘導経路４７に流入して第２特別入賞口５８ａに向かうパチンコ球が流下する前記第１流下経路５５を流下したパチンコ球を、前記第２特別開閉部材５９とは別の部材である経路用後壁部４８に設けた受け部５４で受けて第２特別入賞口５８ａに案内するよう構成したので、第２特別開閉部材５９にパチンコ球が衝突して該第２特別開閉部材５９や前記駆動機構６０に大きな衝撃が加わるのを抑制することができる。すなわち、第２特別開閉部材５９や駆動機構６０が損傷したり故障するのを防止することができ、耐久性を向上し得る。
【００８４】
また、前記第２特別開閉部材５９は、図１１(ｂ)の開放位置では、前記固定案内部５３の下側に入り込むようにしたので、該固定案内部５３の上面に当って第２特別入賞口５８ａに向けて案内されるパチンコ球が該第２特別開閉部材５９に勢いよく衝突するのを防止することができ、該第２特別開閉部材５９や駆動機構６０が損傷したり故障するのを効果的に防止し得る。更に、第２特別開閉部材５９にパチンコ球を案内する案内面６２ａ,６２ｂを設けているので、前記第１流下経路５５を流下するパチンコ球を受け部５４や第２特別入賞口５８ａに向けてスムーズに案内することができ、球詰り等が発生するのを好適に防止し得る。
【００８５】
ここで、前記第２特別入賞部５８では、図１４(ａ)に示す如く、前記第２特別入賞ソレノイド６７の非駆動時には作動部材７１がロック位置に変位し、該作動部材７１に設けられたロック部７１ｄが規制突部６９ｄに係合して第２特別開閉部材５９の閉成位置から開放位置への変位を規制するようになっている。従って、第２特別入賞ソレノイド６７の駆動によらず、不正器具等で第２特別開閉部材５９を直接開放するよう操作したとしても第２特別入賞口５８ａを開放することができず、該第２特別開閉部材５９の不正開放を阻止し得る。また、この状態では前記作動部材７１に設けた開閉作動孔７１ｃと連繋軸部６９ｅとの係合が解除されているから、第２特別開閉部材５９が不用意に開放位置へ変位するのを防止できる。
【００８６】
一方で、第２特別入賞ソレノイド６７の駆動に伴って作動部材７１がロック位置からロック解除位置に変位した場合には(図１４(ｂ)参照)、前記規制突部６９ｄとロック部７１ｄとの係合が解除されると共に前記開閉作動孔７１ｃと連繋軸部６９ｅとが係合する。従って、ロック解除位置から作動位置へ向けて作動部材７１が更に変位することで第２特別開閉部材５９を開放することができる(図１４(ｃ)参照)。すなわち、実施例に係る第２特別入賞部５８では、前記第２特別入賞ソレノイド６７の駆動によらない不正な第２特別開閉部材５９の開放動作を防止できる。また、第２特別入賞ソレノイド６７の非駆動時には、前記圧縮コイルバネ６８によって作動部材７１がロック位置へ付勢されるから、第２特別開閉部材５９の不正な開放をより効果的に阻止し得る。しかも、第２特別開閉部材５９を支持するガイド孔６３ａ,６３ｂは、開放位置から閉成位置に向けて下方傾斜するように形成されているので、第２特別開閉部材５９が閉成位置に移動した状態では(図１１(ａ)参照)、自重により閉成位置へ向けた力が第２特別開閉部材５９に作用するよう構成してあるから、第２特別入賞口５８ａを閉成する閉成位置に第２特別開閉部材５９をより安定的に保持することができ、該第２特別開閉部材５９の不正な開放をより効果的に阻止できる。そして、圧縮コイルバネ６８および自重によって第２特別開閉部材５９が閉成位置に付勢されることで、第２特別入賞口５８ａが振動等に起因して不用意に開放するのを効果的に防止でき、第２特別入賞口５８ａへの意図しない入賞を防ぐことができる。
【００８７】
実施例のパチンコ機１０では、前記第２特別入賞口５８ａが開口する誘導経路４７を画成して該第２特別入賞口５８ａへパチンコ球を誘導可能な入口画成部５０,５１、固定案内部５３、出口画成部５２(具体的には受け部５４)を、該第２特別入賞口５８ａが設けられている枠状装飾体２５に設けているので、入口画成部５０,５１、固定案内部５３および受け部５４と第２特別入賞口５８ａとの関係を一定に維持することができる。すなわち、遊技釘のように遊技盤２０に植設後に調節することなく、第２特別入賞口５８ａへの入球率を一定に維持して遊技性が低下するの防止し得る。また、煩雑な釘調節が不要となるので、メンテナンス性が向上する。更に、前記第２特別開閉部材５９を、入口画成部５０,５１、固定案内部５３、出口画成部５２(具体的には受け部５４)等の誘導部が設けられる経路用後壁部４８および該経路用後壁部４８の前側に配設される経路用前壁部７４に設けられた一対のガイド孔６３ａ,６３ｂに往復移動自在に支持するよう構成した。これにより、誘導部が設けられる部材と開閉部材を支持する部材とが異なる場合に比べて、閉成位置および開放位置での第２特別開閉部材５９と誘導部５０,５１,５２(５４),５３との関係を一定に維持できる。従って、第２特別開閉部材５９を開放位置に移動して第２特別入賞口５８ａを開放した状態での第２特別入賞口５８ａへの入球を安定させ得る。
【００８８】
前記誘導経路４７を画成する前記カバー部材７３の経路用前壁部７４は、該誘導経路４７を画成する経路用後壁部４８が形成されている枠状装飾体２５に配設されるものであるので、前後の壁部７４,４８の間隔を適正に保持することができる。従って、誘導経路４７を流下するパチンコ球が前後に大きく変位するのを防止することができるので、パチンコ球を安定して流下させて誘導経路中での球詰りを防止し得る。
【００８９】
また、前記誘導経路４７を画成する経路用前壁部７４および経路用後壁部４８は透明に構成してあるので、該誘導経路４７を流下するパチンコ球の動きを前側から視認することができ、興趣を向上し得る。更に、前記設置部材３３に配設されて経路用後壁部４８の裏側に重なっている前記演出部３４を誘導経路４７の前側から視認し得るので、該誘導経路４７を流下するパチンコ球の動きと演出部３４での演出とを重ねて見ることができ、演出効果を向上し得る。
【００９０】
前記出口４７ｃから排出されて前記下側第２球流下領域２１ｃを流下するパチンコ球が前記ゲート部３８を通過すると、前記制御手段において普図当り判定が行われ、該普図当り判定に当選した場合は、前記第２始動入賞部９３の始動口開閉部材９４が閉成姿勢から開放姿勢に揺動変位し、前記第２始動入賞口９３ａにパチンコ球が入賞可能となる。該第２始動入賞口９３ａにパチンコ球が入賞すると、前述した第１始動入賞口３５ａへの入賞の場合と同様に前記表示装置１７での図柄変動演出が開始され、図柄変動演出の結果、表示装置１７に所定の図柄組み合わせが表示されると大当りが発生する。そして、大当りが発生すると、表示装置１７に表示された図柄組み合わせに応じて、前記第１特別入賞部３７の第１特別入賞口３７ａまたは第２特別入賞部５８の第２特別入賞口５８ａが開放される。
【００９１】
実施例のパチンコ機１０では、前述したように枠状装飾体２５に配設した第２始動入賞部９３の上側に、パチンコ球を機裏側に回収する第２アウト口８７が設けられている(図９参照)。従って、第２始動入賞口９３ａが開放した状態では、パチンコ球が第２始動入賞口９３ａに入るのか第２アウト口８７に入るのかに遊技者の関心を惹きつけることができ、緊張感を持って遊技を行わせることができる。すなわち、前記第２始動入賞口９３ａを開閉する始動口開閉部材９４を開放作動した状態であっても、下側第２球流下領域２１ｃを流下するパチンコ球が第２アウト口８７に入球する可能性があり、遊技の面白みを増大させることができる。
【００９２】
前記第２特別入賞口５８ａに入賞したパチンコ球は、遊技盤２０の前側に位置する図９に示した第１球通路７８を流下した後、該第１球通路７８の下端部で遊技盤２０の裏側に誘導されて、該遊技盤２０の裏側に位置する第２球通路７９に流入し、該第２球通路７９の下端に形成された排出口から機外に排出される。前記第１球通路７８に、図９に示す如く、前記第２アウト口８７を連通するように設けたので、第２特別入賞口５８ａおよび第２アウト口８７に対応して球通路を遊技盤裏側に夫々設ける必要はなく、遊技盤裏側における球通路を設けるための設置スペースを小さくし得る。従って、他の部品を設けるための設置スペースを圧迫することはなく、設計の自由度を向上することができる。また、前記第１球通路７８を画成する前記通路用前壁部７５は透明に構成されているので、該第１球通路７８を流下するパチンコ球の動きを前側から視認することができ、遊技の興趣を向上し得る。更に、前記誘導経路４７を画成する経路用前壁部７４と、第１球通路７８を画成する通路用前壁部７５とは前記カバー部材７３に一体に設けられるものであるので、誘導経路４７および第１球通路７８(球通路７７)を画成するための壁を別々に設ける必要はなく、部品点数および組み立て工数を低減し得る。
【００９３】
実施例のパチンコ機１０では、前記枠状装飾体２５の右上部(表示窓口２５ａより上側)に設けた前記第２特別入賞口５８ａに入賞したパチンコ球を排出案内する球通路７７における該第２特別入賞口５８ａの連通部から第２アウト口８７の合流部８９までの第１球通路７８を、遊技盤２０の前側に延在するよう構成したので、遊技盤裏側における球通路を設けるための設置スペースをより小さくし得る。また、図９に示す如く、第１球通路７８を画成する前記右画壁８３で前記下側第２球流下領域２１ｃ(遊技領域２１)を画成するよう構成しているので、遊技領域２１を画成するための壁と球通路を画成するための壁とを別々に設ける場合に比べて遊技盤前側の設置スペースを小さくすることができ、遊技盤前側においても他の部品を設けるための設置スペースを圧迫するのを抑制し得る。
【００９４】
前記第１球通路７８に連通する第２アウト口８７は、図８,図９に示す如く、下側第２球流下領域２１ｃに向けて上向きに突出するように設けられた前記アウト口用通路部８６の延出端で開口するように設けられている。従って、第１球通路７８における前記縦球通路７８ｂを合流部８９まで流下したパチンコ球や、第２アウト口８７に入球して合流部８９に一旦通入したパチンコ球が、第１球通路７８(球通路７７)を画成する壁に当って跳ねたとしても、第２アウト口８７から下側第２球流下領域２１ｃに排出されてしまうのを抑制し得る。また、図１５に示す如く、アウト口用通路部８６における合流部８９に開口する開口縁８６ａに逆流防止部９０を設けているので、合流部８９に至ったパチンコ球がアウト口用通路部８６のアウト口通路８８に逆流するのを該逆流防止部９０で阻止して、第１球通路７８に入ったパチンコ球が第２アウト口８７から下側第２球流下領域２１ｃに排出されてしまうのを防止し得る。更に、第１球通路７８を流下するパチンコ球を減勢する前記下端減勢突部９１ａを、図１６に示す如く、前記逆流防止部９０が設けられる縁(後側の縁)と対向する側(前側)の面に設けているので、該下端減勢突部９１ａに当ったパチンコ球を逆流防止部９０が設けられている側(後側)に積極的に変えることができる。すなわち、合流部８９に至ったパチンコ球を逆流防止部９０が設けられる側に誘導することで、合流部８９において壁に当ったパチンコ球がアウト口通路側に跳ねたとしても、該パチンコ球が逆流防止部９０に当ってアウト口通路８８に入ってしまうのを防止し得る。
【００９５】
実施例のパチンコ機１０では、前記第２特別入賞口５８ａに入賞したパチンコ球を排出案内する第１球通路７８(球通路７７)の途中に、下側第２球流下領域２１ｃ(遊技領域２１)に開口する第２アウト口８７を設けることで部品点数や設置スペースを削減し得るもとで、前記アウト口用通路部８６、逆流防止部９０および下端減勢突部９１ａによって、該第１球通路７８に一旦通入したパチンコ球が下側第２球流下領域２１ｃ(遊技領域２１)に排出されてしまうのを確実に防止することができる。更に、実施例のパチンコ機１０では、図９に示す如く、第２アウト口８７に対応して遊技盤２０に植設されている前記上側の外側アウト用遊技釘２３ｂを、第２アウト口８７の上端縁を通る水平線Ｎより下側で、第２アウト口８７との離間間隔がパチンコ球の半径より狭くなる位置に設けているので、前記アウト口通路８８を第２アウト口側に戻ってきたパチンコ球の半分が下側第２球流下領域２１ｃ出る前に該上側の外側アウト用遊技釘２３ｂに当ったパチンコ球をアウト口通路８８に戻すことができる。従って、第１球通路７８に一旦通入したパチンコ球が、下側第２球流下領域２１ｃ(遊技領域２１)に排出されてしまうのをより確実に防止し得る。
【００９６】
実施例のパチンコ機１０では、前記遊技盤２０の裏側に延在する前記第２球通路７９に、前記枠状装飾体２５に配設した第２始動入賞部９３の第２始動入賞口９３ａが連通するよう構成した。すなわち、３つの口５８ａ,８７,９３ａに入球したパチンコ球を、共通する第２球通路７９で排出案内し得るので、遊技盤裏側における球通路を設けるための設置スペースを更に小さくし得る。
【００９７】
(変更例)
本願発明は前述した実施例の構成に限定されるものではなく、その他の構成を適宜に採用することができる。
(1) 実施例では、第２特別入賞口を開閉する第２特別開閉部材を直線的に往復移動するよう構成したが、該開閉部材の構成を、第１特別入賞口や第２始動入賞口を開閉する開閉部材の構成として採用し得る。すなわち、第１特別入賞部や第２始動入賞部を、第１特別入賞口や第２始動入賞口が誘導経路に開口するように枠状装飾体に設けることができる。
(2) 実施例では、枠状装飾体の右上部に誘導経路や流下経路を設けたが、該誘導経路や流下経路を設ける位置は任意に設定可能である。
(3) 実施例では、枠状装飾体に誘導経路や流下経路を設けたが、枠状装飾体とは別に遊技盤に配設される遊技部品に誘導部や固定案内部を設けることで該遊技部品に誘導経路や流下経路を設けることができる。
(4) 実施例では、誘導経路を画成する前後の壁部に設けたガイド孔に第２特別開閉部材に設けた延出部を摺動自在に挿通するよう構成したが、開閉部材を往復移動自在に支持するガイド部を突条とし、該突条が摺動自在な長溝を開閉部材に設ける構成を採用し得る。すなわち、開閉部材を直線的に往復移動自在に支持し得る構成であれば、ガイド部として公知の各種構成を採用し得る。
(5) 実施例では、第２特別開閉部材の開放位置において、該開閉部材の一部が固定案内部の下側に入り込むよう構成したが、第２特別開閉部材(開閉部材)の全体が固定案内部の下側に入り込むようにしてもよく、この構成では開放位置の第２特別開閉部材(開閉部材)と第２特別入賞口(入賞口)との間に位置する受け部の上面(遊技球の受け面)が、第２特別入賞口(入賞口)に向けて下方傾斜するよう構成されていればよい。
(6) 実施例では、第１流下経路(流下経路)を流下するパチンコ球を第２特別入賞口(入賞口)に案内する受け部を、経路用後壁部に設けたが、該受け部を経路用前壁部に設けてもく、または両壁部間に連接するように設けたものであってもよい。
【００９８】
(7) 実施例では、誘導経路にパチンコ球を流入させる入口を２つ設けた場合で説明したが、該入口は１つでも３つ以上であってもよい。また、誘導経路からパチンコ球を排出する出口は、２つ以上であってもよい。
(8) 実施例では、誘導経路内に１つの固定案内部を設けて２つの流下経路を画成するよう構成したが、複数の固定案内部を設けて３つ以上の流下経路を画成する構成を採用し得る。
(9) 実施例では、遊技盤の前側を延在する球通路(第１球通路)に第２特別入賞口および第２アウト口を連通するよう構成したが、第２特別入賞口に代えて第１または第２始動入口や普通入賞口を連通したり、第２アウト口に代えて第１または第２始動入賞口や普通入賞口を連通する等、球通路(第１球通路)に連通させる複数の入球口の組み合わせは任意に設定し得る。また、ゲート部に入球したパチンコ球を遊技領域に通出することなく排出するよう構成した場合には、該ゲート部の口を前記球通路(第１球通路)に連通する入球口とすることもできる。なお、特別入賞口、始動入賞口および普通入賞口は、パチンコ球の入賞によって賞球が得られるものであるので、入球することによって、入球しない場合より有利な状態が付与され得る入球口である。また、ゲート部についても、入球によって第２始動入賞口を開放するか否かの普図当り判定が行われ、当選した場合には第２始動入賞口が開放されて賞球が得られる可能性があるので、該ゲート部の口についても、入球することによって、入球しない場合より有利な状態が付与され得る入球口である。
(10) 実施例では、遊技盤の裏側を延在する球通路(第２球通路)に第２始動入賞口を連通するよう構成したが、該球通路(第２球通路)に第１特別入賞口、普通入賞口あるいは第１始動入賞口を連通する構成を採用し得る。すなわち、遊技盤の裏側を延在する球通路(第２球通路)に連通する第３の入球口として、第１特別入賞口、普通入賞口、第１始動入賞口を採用し得る。
(11) 実施例では、第２特別入賞口の連通部から第２アウト口の合流部までの球通路(第１球通路)の全体が遊技盤の前側に延在する構成としたが、少なくとも第２アウト口の合流部が遊技盤の前側に延在する構成であってもよい。すなわち、合流部より上流側の球通路を遊技盤の裏側に延在させ、合流部のみを遊技盤の前側に延在させる構成とすることができる。
(12) 遊技機としては、パチンコ機に限られるものではなく、アレンジボール機やパチンコ球を用いたスロットマシン等、その他各種の遊技機であってもよい。
【符号の説明】
【００９９】
２０ 遊技盤
２１ 遊技領域
２５ 枠状装飾体
４７ 誘導経路
４７ａ 第１入口(入口)
４７ｂ 第２入口(入口)
４７ｃ 出口
４８ 経路用後壁部(壁部)
５０ 第１入口画成部(誘導部)
５１ 第２入口画成部(誘導部)
５２ 出口画成部(誘導部)
５３ 固定案内部(誘導部)
５８ａ 第２特別入賞口(入球口)
５９ 第２特別開閉部材(開閉部材)
６０ 駆動機構
６３ａ 前ガイド孔(ガイド部)
６３ｂ 後ガイド孔(ガイド部)
７４ 経路用前壁部(前壁部)
【図１】
0006267631.tif 000002
【図２】
0006267631.tif 000003
【図３】
0006267631.tif 000004
【図４】
0006267631.tif 000005
【図５】
0006267631.tif 000006
【図６】
0006267631.tif 000007
【図７】
0006267631.tif 000008
【図８】
0006267631.tif 000009
【図９】
0006267631.tif 000010
【図１０】
0006267631.tif 000011
【図１１】
0006267631.tif 000012
【図１２】
0006267631.tif 000013
【図１３】
0006267631.tif 000014
【図１４】
0006267631.tif 000015
【図１５】
0006267631.tif 000016
【図１６】
0006267631.tif 000017